(57)【要約】【課題】簡易な構造で、外力から内蔵された電池を保護して電池の発熱を防止するワイヤレスリモコン装置を提供することを課題とする。【解決手段】本発明に係るワイヤレスリモコン装置は、上面及び下面を有する筐体と、筐体の上面に位置し電子機器の運転を操作する操作部と、操作部からの信号を電子機器に送信する送信部と、筐体内であって筐体の上面又は筐体の下面と空間を介して位置し電源として用いられるリチウム電池と、筐体内であって電池の側方に位置し電池より筐体下面に対して垂直方向に長い側方配置保護部材と、を備える。【選択図】  図５
2011041031.tif 000002
【特許請求の範囲】
【請求項１】
上面及び下面を有する筐体と、
前記筐体の上面に位置し、電子機器の運転を操作する操作部と、
前記操作部からの信号を前記電子機器に送信する送信部と、
前記筐体内であって前記筐体上面又は前記筐体下面と空間を介して位置し、電源として用いられるリチウム電池と、
前記筐体内であって、前記電池の側方に位置し、前記電池より筐体下面に対して垂直方向に長い側方配置保護部材と、を備えるワイヤレスリモコン装置。
【請求項２】
請求項１において、前記側方配置保護部材の前記筐体上面と対抗する面は、前記リチウム電池の前記筐体上面と対抗する面よりも、前記筐体上面との距離が短いワイヤレスリモコン装置。
【請求項３】
請求項１又は２において、前記筐体上面又は前記筐体下面は、前記リチウム電池方向に歪んでも、前記リチウム電池に接するまで破断しないじん性を有するワイヤレスリモコン装置。
【請求項４】
請求項１乃至３の何れかにおいて、前記側方配置保護部材は前記筐体と異なる材料特性であるワイヤレスリモコン装置。
【請求項５】
請求項１乃至４の何れかにおいて、前記リチウム電池の側方を前記側方配置保護部材で囲うワイヤレスリモコン装置。
【請求項６】
請求項１乃至５の何れかにおいて、前記リチウム電池と前記側方配置保護部材とが接しているワイヤレスリモコン装置。
【請求項７】
請求項１乃至６の何れかにおいて、前記リチウム電池の上方を覆う上方配置保護部材、又は前記リチウム電池の下方を覆う下方配置保護部材を備えるワイヤレスリモコン装置。
【請求項８】
請求項１乃至６の何れかにおいて、前記リチウム電池の上方を覆う上方配置保護部材，前記リチウム電池の下方を覆う下方配置保護部材、及び設定温度以上に達すると溶断する温度ヒューズを備え、
前記温度ヒューズは前記側方配置保護部材，前記上方配置保護部材及び前記側方配置保護部材から構成される保護部材と前記リチウム電池との間に位置するワイヤレスリモコン装置。
【請求項９】
請求項７又は８において、前記上方配置保護部材又は前記下方配置保護部材は前記リチウム電池と空間を介して位置するワイヤレスリモコン装置。
【請求項１０】
請求項７乃至９の何れかにおいて、前記側方配置保護部材，前記下方配置保護部材及び前記上方配置保護部材は断熱性能を持つワイヤレスリモコン装置。
【請求項１１】
請求項７乃至１０の何れかにおいて、前記筐体内にあってワイヤレスリモコン装置を統括して制御する基板を備え、
前記基板が前記上方配置保護部材又は前記下方配置保護部材を兼ねるワイヤレスリモコン装置。
【請求項１２】
請求項１１において、前記基板，前記側方配置保護部材及び前記上方配置保護部材又は前記下方配置保護部材により前記リチウム電池を密閉するワイヤレスリモコン装置。
【請求項１３】
請求項１１又は１２において、電池を収納する電池ソケットを備え、
前記電池ソケットは前記基板上にあり、前記筐体と接しているワイヤレスリモコン装置。
【請求項１４】
請求項１乃至１３の何れかに記載のワイヤレスリモコン装置と、
前記ワイヤレスリモコン装置の前記送信部からの信号を受信する受信部と、
前記受信部で受信した制御情報に基づいて室外機及び室内機の運転を制御する制御部と、を備える空気調和機。
【発明の詳細な説明】
【技術分野】
【０００１】
本発明は、空気調和機，テレビ等の家庭用電化製品その他の電子機器を遠隔操作するワイヤレスリモコン装置に関する。
【背景技術】
【０００２】
空気調和機の温度調節や、テレビのチャンネル操作等を遠隔操作するワイヤレスリモコン装置が広く普及している。遠隔操作を行うためには、電源が必要であり、家庭用電化製品のワイヤレスリモコン装置は単三若しくは単四のアルカリ電池やマンガン電池などを収納して使用されることが一般的である。
【０００３】
ワイヤレスリモコン装置に収納して使用される電池は、一般的に１年前後で電圧が低下するため新しい電池に交換する必要が有る。そこで、電流容量が大きいリチウム一次電池を用いることで、電池交換回数を少なくすることが考えられる。
【０００４】
しかし、リチウム電池は、一次電池・二次電池にかかわらず、外部から加えられる外力により、損傷・破壊された場合、発熱する可能性がある事が知られている。このため充電しないリチウム一次電池で１０年前後交換不要にするワイヤレスリモコン装置は販売されておらず、消費電力の多い機器に充電可能なリチウム二次電池として小容量のものを用いるものが知られている。
【０００５】
充電しないリチウム一次電池を使用する機器としては、一眼レフカメラなどの比較的大きなカメラが知られており、使用頻度によるが数日から数ヶ月で新しい電池に交換する設計である。充電可能なリチウム電池を使用する機器としては、携帯電話などの携帯用端末，コンパクトカメラなどが知られており、数時間〜数日の使用で充電が必要になる。
【０００６】
上記携帯用端末・カメラ等の機器は、価格が高価であることから、金属などで機器全体の強度を高くして外部からの衝撃に対応することが一般的に行われている。これに対して、機器本体とは別に保護部材を用いて衝撃から機器を保護する技術がある（特許文献１参照）。
【０００７】
この特許文献１は、機器本体の外側を、複数に分割される保護部材で覆う携帯用機器の保護装置が開示されている。この保護装置により、機器本体外側のいずれの箇所に落下衝撃を受けても、落下衝撃から、携帯用機器を保護することができる。
【先行技術文献】
【特許文献】
【０００８】
【特許文献１】特開平９−３２１８４７号公報
【発明の概要】
【発明が解決しようとする課題】
【０００９】
しかし、特許文献１は、機器本体の外側を覆う保護装置で落下衝撃から携帯用機器全体を保護しているため、保護装置を含めた携帯用機器が大型化してしまう。
【００１０】
又、前述したように、一般的にリチウム電池は、誤って踏み潰したときなどの外部から加えられる大きな外力によって損傷・損壊・破壊する可能性がある。このことからリチウム電池をワイヤレスリモコン装置に内蔵する場合は、誤って踏み潰したり、重量物を落としてしまったり、打撃力が加わったときなどのワイヤレスリモコン筐体に対する大きな外力から電池を保護する必要がある。しかしながら、特許文献１は落下時に衝撃となる機器本体の外側の保護について記載されているものの、踏み付け・重量物の落下，打撃などの外力に対する破損・破壊による内部に収納された電池の潰れや変形を防止することについて考慮されていない。
【００１１】
本発明の目的は、簡易な構造で、外力から内蔵された電池を保護して電池の発熱を防止するワイヤレスリモコン装置を提供することである。
【課題を解決するための手段】
【００１２】
上記の目的を達成するために、本発明のワイヤレスリモコン装置は、筐体と、この筐体の一面に位置された電気機器の運転を操作する操作部と、この操作部からの信号を前記電気機器に送信する送信部と、前記筐体内であって前記筐体の操作部を有する操作部面又はこの操作部面の反対側の反操作部面との間に空間を介して位置し、電源として用いられるリチウム一次電池電池と、前記筐体内であって前記リチウム一次電池の側方に位置し、前記リチウム電池の側面及び前記反操作部面側を覆う保護部材とを備え、この保護部材と前記反操作部面との間に空間を有する。
【００１３】
大きな外力がワイヤレスリモコン装置に加わった場合、まず筐体が外力を支える支持体となり、大きな外力を受ける。
【００１４】
筐体とリチウム一次電池との間に空間があることにより、筐体が歪み，反力が生まれ、大きな外力を弱め吸収する。
【００１５】
さらに、保護部材で電池を覆っているので、電池より先に保護部材に大きな外力が加わり、保護部材が大きな外力を吸収する。
【発明の効果】
【００１６】
以上説明したように、本発明によれば、簡易な構造で、大きな外力から内蔵されたリチウム一次電池を保護することができるワイヤレスリモコンを提供できる。
【図面の簡単な説明】
【００１７】
【図１】空気調和機の構成図。
【図２】空気調和機の室内機の中央断面図。
【図３】ワイヤレスリモコン装置外観正面図。
【図４】ワイヤレスリモコン装置外観背面図。
【図５】ワイヤレスリモコン装置側面断面模式図。
【図６】ワイヤレスリモコン装置上部図。
【図７】ワイヤレスリモコン装置側面断面模式図。
【図８】上方から衝撃が加わった状態におけるワイヤレスリモコン装置側面断面模式図。
【図９】ワイヤレスリモコン装置側面断面模式図。
【図１０】ワイヤレスリモコン装置側面断面模式図。
【図１１】リチウム一次電池保護部材図。
【図１２】ワイヤレスリモコン装置側面断面模式図。
【図１３】ワイヤレスリモコン装置側面断面模式図。
【図１４】ワイヤレスリモコン装置側面断面模式図。
【図１５】壁に掛けた状態のワイヤレスリモコン装置側面断面模式図。
【発明を実施するための形態】
【００１８】
以下、本発明に係る第１の実施例を図１乃至図６に基づき説明する。まず、空気調和機の全体構造を、図１及び図２を用いて説明する。図１は空気調和機の構成図である。図２は室内機の中央断面図である。
【００１９】
空気調和機１は、室内機２と室外機６を接続配管８でつなぎ、室内を空気調和する。室内機２は筐体ベース２１に室内熱交換器３３，室内送風機３１１，露受皿３５等を取付け、化粧枠２３で覆い、化粧枠２３の前面に前面パネル２５を取付けた構成になっている。化粧枠２３には室内空気を吸い込む空気吸込み口２７と、温湿度が調和された空気を吹出す空気吹出し口２９とが上下に設けられている。
【００２０】
又、前面パネル２５の正面方向右側下部には運転状況を表示する表示装置３９７と、別体のワイヤレスリモコン装置５からの赤外線の操作信号を受ける本体受光部３９６が配置されている。
【００２１】
室内機２は、内部の電装品ボックスに制御基板を備え、該制御基板にマイコンが設けられる。該マイコンは図示しない室内温度センサー，室内湿度センサー等の各種のセンサーからの信号を受け、ワイヤレスリモコン装置５からの操作信号を本体受光部３９６で受けると共に、室内送風機３１１，可動パネル駆動モータ，上下風向板駆動モータ，左右風向板駆動モータ等を制御し、且つ、室外機６との通信を司るなど、室内機２を統括して制御する。
【００２２】
この空気調和機１を運転する時には、ワイヤレスリモコン装置５を操作し、所望の暖房，除湿，冷房の運転を行う。
【００２３】
冷房の運転の場合は、室外機６内にある室外熱交換器が凝縮器として機能し、室内機２内にある室内熱交換器３３が蒸発器として機能する。室外機６内にある圧縮機で冷媒を圧縮し、高温高圧となった冷媒を凝縮器として機能する室外熱交換器へ流し、外気と熱交換させることで、基本的に冷媒は気体から液体へ相変化する。その後、液体となった冷媒を室外機６内にある電子膨張弁を通過させることで所望の圧力まで減圧させ、接続配管８を通じて、蒸発器として機能する室内熱交換器３３へ冷媒が流れる。室内熱交換器３３でこの室内温度よりも低温となった冷媒と室内空気を熱交換させることで、室内熱交換器３３を通過する室内空気の温度を下げ、室内を所望の温度へ空調する。室内熱交換器３３で基本的に冷媒は二相状態から気体へ相変化する。その後、冷媒は接続配管８を通じて、室外機６へ循環する。
【００２４】
暖房運転の場合は、冷房運転に対して、室外熱交換器は蒸発器、室内熱交換器３３は凝縮器として作用する。室内熱交換器３３で熱交換して暖められた温風を室内の低い位置に流すために、上側上下風向板２９１，下側上下風向板２９２は冷房運転の場合に比べ、基本的には下方向に傾いている。しかし、ワイヤレスリモコン装置５からの指示や運転モードに応じて、上側上下風向板２９１，下側上下風向板２９２の向きは変化する。
【００２５】
除湿運転の場合は、室内熱交換器３３を熱的に二分割し、室内熱交換器３３の一方を蒸発器，室内熱交換器３３の一方と室外熱交換器を凝縮器とする。このような構成とし、圧縮機，二分割した室内熱交換器３３の間に配置されて減圧作用を行う除湿用減圧装置，室外熱交換器に通風するファンと室内熱交換器３３に通風する室内送風機３１１を制御することで、冷房ぎみ除湿運転，暖房ぎみ除湿運転、等温ぎみ除湿運転を実現することができる。
【００２６】
次に、図３と図４を参照して、ワイヤレスリモコン装置５の外観と内部の構造を説明する。図３はワイヤレスリモコン装置外観正面図である。図４はワイヤレスリモコン装置外観背面図である。
【００２７】
図３に示すようにワイヤレスリモコン装置５はワイヤレスリモコン装置受光部４０１，ソーラーパネル４０２，ＬＣＤモジュール４０３，操作ボタン４０４を有している。ワイヤレスリモコン装置受光部４０１は、受光しやすいようにワイヤレスリモコン装置５の上端に位置している。ソーラーパネル４０２は、ワイヤレスリモコン装置５の待機時に必要となる電力を供給する。ＬＣＤモジュール４０３は、表示部配置面の周囲に縁体を残して、その面積一杯に配置される縦長の大型液晶表示装置で構成される。操作ボタン４０４は、操作ボタン配置面の周囲に縁体を残して配置される。
【００２８】
さらに、ワイヤレスリモコン装置５は、図４に示すようにサーミスタ用通風穴４１０，乾電池ソケットカバー４１１を有している。サーミスタ用通風穴４１０は、周囲空気を循環させるために設けてあり、またワイヤレスリモコン装置５自体からの熱を逃がし、ワイヤレスリモコン装置５周囲の温度を計測するワイヤレスリモコン装置用室温サーミスタの誤差を減らす効果がある。
【００２９】
又、乾電池ソケットカバー４１１を取外すことで、乾電池ソケット４２２に乾電池を設置又は交換することができる。
【００３０】
本発明に係るワイヤレスリモコン装置５（本実施の形態１）を図５乃至図８に示す。本実施の形態１は、ワイヤレスリモコン装置５の電源として一般的に市販されているアルカリ乾電池に対し数十倍もの大電流容量を持ったリチウム一次電池４３１を使用し、筐体，リチウム一次電池側方配置保護部材４３０及び筐体とリチウム一次電池４３１の間に設けられている空間によって、リチウム一次電池４３１を保護する発明に係るものである。
【００３１】
図５はワイヤレスリモコン装置側面断面模式図である。図６はワイヤレスリモコン装置上部図である。図７はリモコン装置側面断面模式図である。図８は上方から衝撃が加わった状態のリモコン装置側面断面模式図である。ワイヤレスリモコン装置５の筐体は、筐体上面４０５，筐体下面４０６及び筐体側面４０７から構成される。電子機器の運転を操作する操作ボタン４０４と、電子機器の運転を操作する操作部は筐体上面４０５に位置している。筐体下面４０６は筐体上面４０５の裏に位置している。筐体側面４０７は筐体上面４０５と筐体下面４０６以外の面である。
【００３２】
ワイヤレスリモコン装置５の電源の一つであるリチウム一次電池４３１を筐体内であって、筐体下面４０６と空間を介して位置している。又、本実施例においては、リチウム一次電池４３１は、筐体下面４０６と直線方向に３mm以上の距離に相当する空間を介して位置している。
【００３３】
リチウム一次電池側方配置保護部材４３０は筐体内であって、リチウム一次電池４３１の側方に位置し、リチウム一次電池４３１より高い。
【００３４】
リチウム一次電池４３１の高さＰはリチウム一次電池４３１の上面とリチウム一次電池４３１の下面間の距離のことである。又、リチウム一次電池側方配置保護部材４３０の高さＨはリチウム一次電池４３１の高さＰと同じ方向におけるリチウム一次電池側方配置保護部材４３０の長さのことである。本実施例では、リチウム一次電池側方配置保護部材４３０の高さＨはリチウム一次電池４３１の高さＰよりも長い。
【００３５】
ここで、リチウム一次電池側方配置保護部材４３０は、リチウム一次電池４３１に対して、前後方向以外である側方と斜方を含めた方向に位置するリチウム一次電池保護部材である。図７を用いて説明すると、リチウム一次電池側方配置保護部材は、筐体内であって線Ｉを基準にしてリチウム一次電池４３１と反対側の空間と、線Ｊを基準にしてリチウム一次電池４３１と反対側の空間の範囲内に位置する。
【００３６】
本実施の形態１におけるリチウム一次電池４３１は、前述の通り大電流容量を持つため、アルカリ電池等に対し、大幅に長寿命化を図る事ができる。しかし、大きな外力により破損（内部短絡や負荷短絡，電解液漏れによる短絡）した場合の事故想定として、大電流容量であるために発熱した場合の被害が比較的大きくなる可能性がある事と、水を介在して起こり得る電解液の化学反応によるガスの発生が挙げられ、リチウム一次電池４３１を代表とする大電流容量の電池を使用するにあたっては、大きな外力（使用者が誤って踏み潰す等）が電池に直接係らないような構造や、温度ヒューズを電池に密着させるように設けられる構造，電池の防爆弁が作動した際の内容物の飛散を防止する構造、万が一過熱した際にも外部に熱の影響が伝わりにくい密閉構造にする事が有効であり、本発明に至っては、大電流容量の電池特有の保護構造として、以下に示す構成としている。
【００３７】
ワイヤレスリモコン装置５を誤って踏み潰した場合等、リチウム一次電池４３１を挟んで位置する２つのリチウム一次電池側方配置保護部材４３０間の距離以上の範囲に渡って、面で大きな外力が加わった場合を説明する。まず、大きな外力が筐体上面４０５又は筐体下面４０６に加わり、筐体側面４０７が支持となり、大きな外力を受ける。
【００３８】
図８に示すように、筐体上面４０５に大きな外力が加わった場合、リチウム一次電池保護部材４３０が筐体下面４０６に達するまで筐体上面４０５が歪む。その後、リチウム一次電池側方配置保護部材４３０が支持となり、大きな外力からリチウム一次電池４３１を保護する。
【００３９】
筐体下面４０６に大きな外力が加わった場合、筐体下面４０６がリチウム一次電池側方配置保護部材４３０まで歪み，リチウム一次電池側方配置保護部材４３０が支持となり、大きな外力からリチウム一次電池４３１を保護する。
【００４０】
又、万が一、筐体下面４０６に対して垂直方向の大きな外力（以下、上方又は下方からの大きな外力と言う）がリチウム一次電池４３１の上方に位置する筐体上面４０５へ局所的に加わった場合、まず筐体上面４０５に大きな外力が加わる。筐体側面４０７が支持となり、大きな外力を受ける。
【００４１】
そして、筐体上面４０５が歪み、大きな外力を低減させる。ここで、筐体上面４０５が歪んでも、筐体下面４０７とリチウム一次電池４３１の間に空間があることにより、リチウム一次電池側方配置保護部材４３０とリチウム一次電池４３１が空間方向に逃げることができる。
【００４２】
その後、リチウム一次電池側方配置保護部材４３０が筐体下面４０６に接するまで筐体上面４０５が歪んだ場合、筐体側面４０７とリチウム一次電池側方配置保護部材４３０が支持となり、大きな外力を受ける。
【００４３】
又、万が一、下方からの大きな外力がリチウム一次電池４３１の下方向に位置する筐体下面４０６へ局所的に加わった場合、まず筐体下面４０６に大きな外力が加わる。筐体側面４０７が支持となり、大きな外力を受ける。
【００４４】
次に、筐体下面４０６とリチウム一次電池４３１の間に空間があることにより、大きな外力がリチウム一次電池４３１に及ぶ前に、筐体下面４０６が歪むので、リチウム一次電池側方配置保護部材４３０に必要となる反力を低減又は不要にすることができる。
【００４５】
さらに、筐体下面４０６がリチウム一次電池側方配置保護部材４３０まで歪んだ場合、リチウム一次電池側方配置保護部材４３０と筐体側面４０７が支持となり、大きな外力からリチウム一次電池４３１を保護する。
【００４６】
本実施例は、リチウム一次電池４３１を保護するために、機器全体の強度を上げることで大きな外力を吸収するのではなく、リチウム一次電池側方配置保護部材４３０を新たに加えるだけの構成である。そのため、ワイヤレスリモコン装置５を大型にせずに、簡易な構成でリチウム一次電池４３１の保護性能を向上させることができる。
【００４７】
又、筐体下面４０６がリチウム一次電池４３１方向に歪んでも、筐体下面４０６がリチウム一次電池４３１に接するまで破断しないじん性を有する材質としている。筐体下面４０６に局所的に大きな外力が加わっても、筐体下面４０６が貫通することがないため、リチウム一次電池４３１に大きな外力が加わる前に、リチウム一次電池側方配置保護部材４３０が確実に大きな外力を受けることができる。
【００４８】
又、リチウム一次電池側方配置保護部材４３０は筐体とは別部品としており、筐体のように意匠を考慮した材料選択に左右されず、耐衝撃性に優れた材料や、不燃又は難燃材料といったように、最も適した材料選択が可能である。また、筐体とリチウム一次電池側方保護部材４３０を樹脂で構成する場合においては、一体構成では意匠面を考慮せねばならないため、強度向上のために肉厚を厚くするにもヒケ等の問題を考慮し制約が大きくなるが、別部品であるため、意匠面を考慮しなくて済み、制約を少なくする事も可能となる。よって、リチウム一次電池４３１の筐体がリチウム一次電池４３１内部を保護しきれない強さの大きな外力が加わった場合もリチウム一次電池側方配置保護部材４３０が大きな外力を受け止めることができる。
【００４９】
又、リチウム一次電池４３１の筐体上面４０５方向にある基板４４３はリチウム一次電池４３１を保護する役割も担っている。基板４４３をリチウム一次電池４３１の上面方向の保護部材として併用しているため、ワイヤレスリモコン装置５が大型にならずに、リチウム一次電池４３１の耐衝撃性を向上させることができる。
【００５０】
又、リチウム一次電池４３１とリチウム一次電池側方配置保護部材４３０は接触している。２つのリチウム一次電池側方配置保護部材４３０の距離をできる限り狭めることで、リチウム一次電池側方配置保護部材４３０の間にあるリチウム一次電池４３１のみに局所的に衝撃が加わる可能性を減らし、リチウム一次電池側方配置保護部材４３０がリチウム一次電池４３１に加わる衝撃をより確実に受け止めることができる。
【００５１】
又、万が一、局所的にリチウム一次電池４３１上部の筐体上面４０５又は筐体下面４０６に大きな外力が加わったときも、２つのリチウム一次電池側方配置保護部材４３０の距離をできる限り狭めることで、筐体上面４０５又は筐体下面４０６に必要となる曲げモーメントを低減させることができる。
【００５２】
以下、本発明に係る第２の実施例を図９に基づき説明する。本実施の形態２は、形態１に対して、リチウム一次電池の下方を保護部材で囲い、リチウム一次電池の耐衝撃性をさらに向上させたものである。
【００５３】
図９はワイヤレスリモコン装置上部図である。リチウム一次電池４３１の筐体下面４０６方向にリチウム一次電池下方配置保護部材４３３が設けられている。下方からの大きな外力が加わった場合、リチウム一次電池４３１より先に、筐体下面４０６，筐体側面４０７，リチウム一次電池側方配置保護部材４３０及びリチウム一次電池下方配置保護部材４３３に大きな外力が加わり、リチウム一次電池４３１へ加わる衝撃を低減又は無くすことができる。
【００５４】
さらに、リチウム一次電池下方配置保護部材４３３はリチウム一次電池４３１と空間を介して位置しているため、筐体下面４０６に加え、リチウム一次電池下方配置保護部材４３３も梁として機能させることができる。
【００５５】
以下、本発明に係る第３の実施例を図１０及び図１１に基づき説明する。本実施の形態３は、形態１と２に対して、リチウム一次電池の側方全体を保護部材で囲い、リチウム一次電池の耐衝撃性を向上させたものである。
【００５６】
図１０はワイヤレスリモコン装置側面断面模式図である。図１１はワイヤレスリモコン装置上部図である。電気二重層コンデンサ４４５はソーラーパネル４０２で発電された電気を蓄電するコンデンサである。
【００５７】
リチウム一次電池４３１の側方全体をリチウム一次電池保護部材４３５で囲うことで、上方又は下方からの大きな外力が加わった場合のリチウム一次電池保護部材４３５の耐衝撃性が向上する。さらに、筐体側面４０７方向から大きな外力が加わった場合も、リチウム一次電池４３１に大きな外力が加わる前に、確実にリチウム一次電池保護部材衝撃４３５が大きな外力を受ける構造となる。
【００５８】
又、図１１に示すように、リチウム一次電池４３１はリチウム一次電池保護部材４３５と基板４４３により密閉されている。そのため、万が一液体がリモコン内部に侵入した場合も、リチウム一次電池保護部材４３５と基板４４３が壁になり、リチウム一次電池４３１へ液体が侵入できない。
【００５９】
又、図１１に示すように、リチウム一次電池保護部材４３５は温度ヒューズ固定部４４１を備えている。設定温度以上に達すると溶断する温度ヒューズ４４４はこの温度ヒューズ固定部４４１に固定され、リチウム一次電池４３１に密着される構造になっている。そのため、温度ヒューズ４４４をリチウム一次電池４３１の温度を誤差が少なく機能させることができる利点と、温度ヒューズ４４４の固定方法を別に設ける必要が無いといった利点がある。
【００６０】
リチウム一次電池保護部材４３５は熱伝導率の低い樹脂部品で構成し、リチウム一次電池４３１を取り囲むように配置しているので断熱材としても作用することができる。ワイヤレスリモコン装置５の表面に大きな熱エネルギーが掛かるような状況（真夏に直射日光が照射される窓際に置かれた場合や炬燵の中に置かれた場合等）でも断熱効果により、リチウム一次電池４３１に伝わる熱量を減らすことができ、温度ヒューズが外部からの熱によって作動してしまうことを防止できる。又、温度ヒューズ４４４は万一リチウム一次電池４３１が短絡した時等の内部からの発熱が外部へ直接伝わることも防ぐ。
【００６１】
リチウム一次電池４３１が短絡を生じた場合、温度ヒューズ４４４が短絡経路を切り離すが、温度ヒューズ４４４による遮断にはタイムラグが存在する。温度ヒューズ４４４が遮断するまでに時間を要した時においても、断熱材によりリチウム一次電池４３１の発熱が外部に伝わりにくくすることができ、負荷短絡時のリチウム一次電池４３１の発熱が外部に伝わる前に温度ヒューズにより遮断される。負荷ラインに備えた温度ヒューズ４４４をリチウム一次電池４３１に密着させ、内部部品の故障の際など負荷短絡，負荷半短絡を生じた際に短絡経路をリチウム一次電池４３１から遮断する。
【００６２】
尚リチウム一次電池保護部材４３５の肉厚を厚くすれば厚くするほど断熱性能は向上するが、強度と断熱性能を兼ね備え、かつ小型化を考慮し今回の実施例では肉厚を１.５mmとした。
【００６３】
さらに、内部の不具合で万一防爆弁が作動した場合、リチウム一次電池保護部材４３５と基板４４３による密閉構造は消音効果があり、使用者の不要な心的不安を軽減することもできる。
【００６４】
テーブルの上や床面で使用することが想定されるワイヤレスリモコン装置においては、水や清涼飲料水，スープ類などの液体がかかってしまう事も想定しなければならない。そこで本発明においては、図１１に示すように、リチウム一次電池４３１の周囲を、リチウム一次電池保護部材４３５の端面と基板４４３を突合せ概ね密閉構造とした。従って、液体がワイヤレスリモコン内部に侵入した場合も、リチウム一次電池保護部材４３５と基板４４３が壁になり、リチウム一次電池４３１への液体の侵入を防止することができる。液体の浸入を防止することは、リチウム一次電池保護部材４３５の内部でのリチウム一次電池４３１のプラス極とマイナス極間の短絡を防止できるうえに、万が一防爆弁が作動する事態に陥ったとしても液体が浸入できないため、水を介在して起こり得る電解液の化学反応によるガスの発生を抑制することができる。
【００６５】
以下、本発明に係る第４の実施例を図１２に基づき説明する。本実施の形態４は、形態１に対して、リチウム一次電池側方配置保護部材４３０の代わりに、筐体内であってリチウム一次電池４３１の斜め下方に位置し、筐体下面４０６に接合され、高さがリチウム一次電池４３１より高く構成されたリチウム一次電池保護部材４３５を設け、内部の構造の自由度を向上させたものである。図１２はワイヤレスリモコン装置上部図である。
【００６６】
下方からの大きな外力が加わった場合、まず筐体下面４０６に大きな外力が加わる。筐体下面４０６と筐体側面４０７が保護部材として機能し、大きな外力からワイヤレスリモコン装置５内部を保護する。
【００６７】
次に、筐体下面４０６とリチウム一次電池４３１の間に空間があることにより、大きな外力がリチウム一次電池４３１に及ぶ前に、筐体下面４０６が歪むことで、リチウム一次電池斜方保護部材４３４が基板４４３に接触し、リチウム一次電池斜方保護部材４３４が支持となり、大きな外力からリチウム一次電池４３１を保護する。
【００６８】
筐体上面４０５に大きな外力が加わった場合も同様に、筐体上面４０５，筐体側面４０７及びリチウム一次電池斜方保護部材４３４が大きな外力からリチウム一次電池４３１を保護する。
【００６９】
以下、本発明に係る第５の実施例を図１３に基づき説明する。本実施の形態５は、形態１に対して、リチウム一次電池４３１とリチウム一次電池側方配置保護部材４３０が筐体下面４０６に接している。図１３は本実施の形態５におけるリモコン装置断面模式図である。
【００７０】
この構成の特徴は、リチウム一次電池側方配置保護部材４３０がリチウム一次電池４３１に比べ、筐体上面４０５に近い位置にあることである。また、リチウム一次電池４３１と筐体上面４０５の間に確実に空間があることになる。上方からの大きな外力に対して、筐体上面４０５，筐体側面４０７とリチウム一次電池４３１は、リチウム一次電池４３１より先に大きな外力が受けるため、リチウム一次電池４３１に大きな外力が及ばない。
【００７１】
以下、本発明に係る第６の実施例を図１４に基づき説明する。本実施の形態６は、形態１に対して、筐体下面４０６と一体構造である乾電池ソケット４２２を備え、基板４４３に接している。図１４は本実施の形態６におけるリモコン装置断面模式図である。
【００７２】
乾電池ソケット４２２は電池を収容する電池ソケット部と、基板に密着させるリブ等の樹脂から構成される。本実施例では、乾電池ソケット４２２に用いられている樹脂と、筐体の樹脂は同一である。
【００７３】
乾電池ソケット４２２は基板４４３上にあるため、筐体下面４０６，乾電池ソケット４２２と基板４４３は接している。このような構成により、上方からの大きな外力が基板４４３まで大きな外力が加わった場合、乾電池ソケット４２２が筐体下面４０６へ大きな外力を伝える支持となる。
【００７４】
さらに、基板４４３とリチウム一次電池４３１との間に空間がある場合は、基板４４３が梁となり、基板４４３が歪むことにより反力が生まれ、衝撃を弱める。
【００７５】
また、リチウム一次電池側方配置保護部材４３０が筐体下面４０６に接した後も、乾電池ソケット４２２は筐体側面４０７，リチウム一次電池側方配置保護部材４３０と共に基板４４３を支持する役割を担う。
【００７６】
又、図１４に示すように、筐体側面４０７はリチウム一次電池４３１側を乾電池ソケット４２２側に比べ、長くなるように設計されている。筐体下面４０６を下にして、ワイヤレスリモコン装置５を水平なテーブル等に置いた場合、リチウム一次電池４３１と乾電池ソケット４２２の高さを比べたら、リチウム一次電池４３１が高い位置になるような構成となる。また、図１５に示すように、ワイヤレスリモコン装置受光部４０１を上にしてワイヤレスリモコン装置５を壁に設置したときも、乾電池ソケット４２２に比べ、リチウム一次電池４３１が高い位置になるような構成となる。このような構成とすることにより、万が一、乾電池が液洩れした時もリチウム一次電池４３１に液体が流れない。
【００７７】
又、図１４に示すように、筐体下面４０６は指掛け部４２７を備えており、この指掛け部４２７に指を位置させることで、保持性を向上させることができる。
【００７８】
本実施例の大きな特徴の１つとして、指掛け部４２７は乾電池ソケット４２２とリチウム一次電池４３１の間に設けられている。この構造により、筐体下面４０６をテーブルや壁に接触させてワイヤレスリモコン装置５を置いた状態で、乾電池から液が洩れた場合や乾電池ソケット４２２に液体が侵入した場合、指掛け部４２７が壁となり、リチウム一次電池４３１に流れない。
【００７９】
なお、図１５に示すような筐体下面４０６以外の面をテーブルや壁などに接触させてワイヤレスリモコン装置５を置いた状態でも、乾電池ソケット４２２からリチウム一次電池４３１に液体が流れない構造となるように、乾電池ソケット４２２側とリチウム一次電池４３１側を指掛け部４２７で仕切る構造にしてもよい。
【００８０】
又、リチウム一次電池保護部材４３５は難燃性であり、基板４４３はワイヤレスリモコン装置５の筐体に比べ、耐熱性のある部材を用いている。そのため、万が一、リチウム一次電池４３１が発熱したときも、リチウム一次電池保護部材４３０と基板４４３が防御壁となり、熱がリチウム一次電池４３１からワイヤレスリモコン装置５全体へ伝わりづらい。
【００８１】
又、ＬＣＤモジュール４０３はリチウム一次電池側方配置保護部材４３４の上方に位置している。ＬＣＤモジュール４０３に衝撃が加わった場合、割れる前に側方保護部材４３４がＬＣＤモジュール４０３を支持するため、液晶保護アクリルカバーとともにユーザにＬＣＤモジュール４０３が飛散することを防ぐことができる。
【００８２】
又、リチウム一次電池４３１をリモコン装置５の電源として本実施例を説明したが、リチウム一次電池４３１の代わりにリチウムイオン電池，リチウム・空気電池，酸化銀電池，空気亜鉛電池及びニッケル水素電池を用いてもよい。
【符号の説明】
【００８３】
１  空気調和機
２  室内機
５  ワイヤレスリモコン装置
６  室外機
８  接続配管
２１  筐体ベース
２３  化粧枠
２７  空気吸込み口
２９  空気吹出し口
３３  室内熱交換器
２９０  吹出し風路
２９１  上側上下風向板
２９２  下側上下風向板
３１１  室内送風機
３９６  本体受光部
３９７  表示装置
４０１  ワイヤレスリモコン装置受光部
４０２  ソーラーパネル
４０３  ＬＣＤモジュール
４０４  操作ボタン
４０５  筐体上面
４０６  筐体下面
４０７  筐体側面
４１０  サーミスタ用通風穴
４１１  乾電池ソケットカバー
４２２  乾電池ソケット
４２７  指掛け部
４３０  リチウム一次電池側方配置保護部材
４３１  リチウム一次電池
４３３  リチウム一次電池下方配置保護部材
４３４  リチウム一次電池斜方配置保護部材
４３５  リチウム一次電池保護部材
４４１  温度ヒューズ固定部
４４２  電気２重層コンデンサ
４４３  基板
４４４  温度ヒューズ
４４５  電気二重層コンデンサ
４４６  壁
【図１】
2011041031.tif 000003
【図２】
2011041031.tif 000004
【図３】
2011041031.tif 000005
【図４】
2011041031.tif 000006
【図５】
2011041031.tif 000007
【図６】
2011041031.tif 000008
【図７】
2011041031.tif 000009
【図８】
2011041031.tif 000010
【図９】
2011041031.tif 000011
【図１０】
2011041031.tif 000012
【図１１】
2011041031.tif 000013
【図１２】
2011041031.tif 000014
【図１３】
2011041031.tif 000015
【図１４】
2011041031.tif 000016
【図１５】
2011041031.tif 000017
【手続補正書】
【提出日】平成22年3月15日(2010.3.15)
【手続補正１】
【補正対象書類名】明細書
【補正対象項目名】００７０
【補正方法】変更
【補正の内容】
【００７０】
この構成の特徴は、リチウム一次電池側方配置保護部材４３０がリチウム一次電池４３１に比べ、筐体上面４０５に近い位置にあることである。また、リチウム一次電池４３１と筐体上面４０５の間に確実に空間があることになる。上方からの大きな外力に対して、筐体上面４０５及び筐体側面４０７が、リチウム一次電池４３１より先に大きな外力を受けるため、リチウム一次電池４３１に大きな外力が及ばない。
【手続補正２】
【補正対象書類名】特許請求の範囲
【補正対象項目名】請求項８
【補正方法】変更
【補正の内容】
【請求項８】
請求項１乃至６の何れかにおいて、前記リチウム電池の上方を覆う上方配置保護部材、前記リチウム電池の下方を覆う下方配置保護部材、及び設定温度以上に達すると溶断する温度ヒューズを備え、
前記温度ヒューズは前記側方配置保護部材、前記上方配置保護部材及び前記下方配置保護部材から構成される保護部材と前記リチウム電池との間に位置するワイヤレスリモコン装置。
【手続補正３】
【補正対象書類名】特許請求の範囲
【補正対象項目名】請求項１０
【補正方法】変更
【補正の内容】
【請求項１０】
請求項７乃至９の何れかにおいて、前記側方配置保護部材、前記下方配置保護部材及び前記上方配置保護部材は断熱性能を持つワイヤレスリモコン装置。
【手続補正４】
【補正対象書類名】特許請求の範囲
【補正対象項目名】請求項１２
【補正方法】変更
【補正の内容】
【請求項１２】
請求項１１において、前記基板、前記側方配置保護部材及び前記上方配置保護部材又は前記下方配置保護部材により前記リチウム電池を密閉するワイヤレスリモコン装置。